(57)【要約】【課題】設計検討過程、設計過程における情報の連携を円滑に図ることで設計を効率化する。【解決手段】複数の設計項目に対して、複数の設計レベル毎の必須情報を対応付け、複数の設計項目と、対応付けられた複数の必須情報とを共に表示し、複数の必須情報を任意の更新タイミングで適宜更新することにより実現する。【選択図】図５
2008090725.tif 000002
【特許請求の範囲】
【請求項１】
複数の設計項目に対して、複数の設計レベル毎の必須情報を対応付ける対応手段と、
前記複数の設計項目と、前記対応手段によって対応付けられた複数の必須情報とを共に表示する表示手段と、
前記複数の必須情報を任意の更新タイミングで適宜更新する更新手段とを備えること
を特徴とする情報連携設計支援システム。
【請求項２】
前記複数の設計レベルは、設計対象物の前記複数の設計項目に対して目標値を定める第１設計レベルと、
前記目標値に基づき要求値を定める第２設計レベルと、
前記要求値に基づき設計値を定める第３設計レベルと、
前記設計値に基づき予測値を定める第４設計レベルと、
実際に形成された設計対象物を実測した前記複数の設計項目と前記予測値とを比較する第５設計レベルとからなること
を特徴とする請求項１記載の情報連携設計支援システム。
【請求項３】
前記対応手段によって対応付けられた前記複数の設計項目と、前記複数の設計レベル毎の必須情報とをマトリクス状に配置して前記表示手段に表示させるよう制御する表示制御手段とを備えること
を特徴とする請求項１又は請求項２記載の情報連携設計支援システム。
【請求項４】
前記表示制御手段は、前記設計レベルに応じて、前記表示手段に表示させる必須情報を制限するよう表示制御すること
を特徴とする請求項２又は請求項３記載の情報連携設計支援システム。
【請求項５】
複数の設計項目に対して、複数の設計レベル毎の必須情報を対応付ける対応工程と、
前記複数の設計項目と、前記対応工程によって対応付けられた複数の必須情報とを共に表示する表示工程と、
前記複数の必須情報を任意の更新タイミングで適宜更新する更新工程とを備えること
を特徴とする情報連携設計支援方法。
【発明の詳細な説明】
【技術分野】
【０００１】
本発明は、なんらかの設計検討過程、設計過程での各設計従事者間における情報の統括的な共有により、円滑な設計を支援する情報連携設計支援システム及び情報連携設計支援方法に関する。
【背景技術】
【０００２】
車両における各種設計を支援するための設計支援装置が考案されている。例えば、内燃機関の吸気経路の設計時に簡易に流体解析結果を予測することができる技術が開示されている（例えば、特許文献１参照。）。
【特許文献１】特開２００５−２８４６２３号公報
【発明の開示】
【発明が解決しようとする課題】
【０００３】
しかしながら、特許文献１で開示されている技術などでは、設計検討過程、設計過程における情報管理の一元化がなされておらず、単にデータベース上の情報を参照するだけに留まっているため、必要となる情報の連携が機能していなかった。したがって、設計に従事する者の間での意思疎通が図られないため、設計検討過程、設計過程における仕様変更などに迅速に対応することができず、手戻りが発生してしまう確率が非常に高いといった問題があった。
【０００４】
そこで、本発明は、上述した実情に鑑みて提案されたものであり、設計検討過程、設計過程における情報の連携を円滑に図ることで設計の効率化をすることができる情報連携設計支援システム及び情報連携設計支援方法を提供することを目的とする。
【課題を解決するための手段】
【０００５】
本発明は、複数の設計項目に対して、複数の設計レベル毎の必須情報を対応付け、前記複数の設計項目と、対応付けられた複数の必須情報とを共に表示する。そして、前記複数の必須情報を任意の更新タイミングで適宜更新することにより、上述の課題を解決する。
【発明の効果】
【０００６】
本発明によれば、設計検討過程、設計過程における設計レベル間の情報連携を円滑に図ることができるため、設計を効率化することが可能となる。
【発明を実施するための最良の形態】
【０００７】
以下、図１を用いて、本発明の実施の形態について示す情報連携設計支援システムについて詳細に説明をする。
【０００８】
本発明の実施の形態として示す情報連携設計支援システムは、例えば、図１に示すようにセンタ装置１０と、センタ装置１０に接続される端末装置１１（１１Ａ，１１Ｂ，１１Ｃ，１１Ｄ，１１Ｅ，１１Ｆ，１１Ｇ，１１Ｈなど）と、センタ装置１０に接続されるデータベース２０とを備えている。本発明の実施の形態として示す情報連携設計支援システムは、設計検討過程、設計過程を経て所望のスペックの部品、製品などを製造する際に用いられる。設計対象となる部品、製品は、例えば、車両に搭載されるエンジンなどであるが、本発明は、これに限定されることなく車両に搭載される部品や、車両とは全く関係のない製品にも適応することができる。なお、以下においては、車両に搭載する部品を設計する場合を一例として取り上げながら説明をする。
【０００９】
センタ装置１０は、情報連携設計支援システムを統括的に制御する制御部であり、当該センタ装置１０に接続されたデータベース２０に蓄積された情報を管理し、同じく接続された各端末装置１１の要求に応じてデータベース２０に蓄積された必要とされている情報を適宜読み出して提供をする。
【００１０】
センタ装置１０は、各端末装置１１からのアクセスに応じて、ＩＤ、パスワードの入力を要求し、データベース２０に記憶された認証用の情報に基づき認証可否を判断する。センタ装置１０は、認証された端末装置１１に対してはデータベース２０へのアクセスを許可する一方、認証がなされなかった端末装置１１に対しては、データベース２０へのアクセスを拒否する。
【００１１】
端末装置１１は、いわゆる汎用型のＰＣ（Personal Computer）であり、設計検討過程、設計過程において従事する者によって操作される。例えば、端末装置１１Ａ，１１Ｂは、設計対象物を設計する際に必要となる設計項目を検討し機能を割り付ける機能割付者によって操作され、端末装置１１Ｃ，１１Ｄ，１１Ｅ，１１Ｆは、割り付けられた機能に基づき設計を検討する設計検討者によって操作され、端末装置１１Ｇは、設計された設計対象物を実験し評価する実験評価者（確認者）によって操作され、端末装置１１Ｈは、設計検討過程、設計過程を含め設計対象物の開発全体をマネージメントする設計管理者によって操作される。つまり、端末装置１１は、設計対象物を設計するにあたり設けられる複数の設計レベル毎に用意され、設計レベル毎の担当者によって操作される。
【００１２】
端末装置１１は、センタ装置１０にアクセスして、センタ装置１０の認証可否に応じて、設計検討過程、設計過程などにおいて必要となる情報の取得を要求したり、各設計レベルにおいて必要となるデータを入力したりする。
【００１３】
データベース２０は、例えば、図２に示すように、（統合）データベース２０となっており、個別データベース２０ｎ（ｎは、自然数）から提供される情報を統括的に収集することができる。このデータベース２０で提供される情報としては、例えば、図２に示すような統合仕様表などである。統合仕様表は、例えば、設計品質整合表、部品仕様表、子会社Ａによる統合仕様表Ａ、子会社Ｂによる統合仕様表Ｂ、適合スペック表、認証用のデータ、その他のデータなどからなり、設計対象物の複数の設計項目に対して対応付けられている。つまり、データベース２０は、各設計レベルにおいて必要となる必須データ（必須情報）を複数の設計項目に対して対応付けて保持している。
【００１４】
続いて、図３を用いて、情報連携設計支援システムによる設計処理の流れについて説明をする。図３に示すステップＳ１乃至ステップＳ５の処理は、それぞれ設計レベルを示しており、前段の処理ステップによって提示される情報を入手して検討がなされその検討結果を後段の処理ステップに情報として提供することで連携が図られている。
【００１５】
まず、ステップＳ１で、設計管理者によって、設計対象物についての検討がなされ、設計対象物に対する前提情報が提示される。そして、機能割付者によって、前提情報についての検討がなされ、前提情報に対する要求情報が提示される（ステップＳ２）。次に、設計検討者によって、要求情報についての検討がさなれ、要求情報に対する設計情報が提示される（ステップＳ３）。さらに、確認者（例えば、実験評価者）によって、設計情報についての検討がなされ、設計情報に対する達成情報が提示される（ステップＳ４）。最後に、設計管理者によって、達成情報についての検討がなされ、達成情報に対する判断情報が提示される（ステップＳ５）。
【００１６】
このように、なんらかの設計対象物を設計するには、全てを統括する設計管理者を始め機能割付者、設計検討者、確認者といった設計従事者が前後において連携を図りながら各工程を進行させていく。これにより、前段（上流側）からの情報の伝達に過不足が生じることなく、後段（下流側）では正確な処理を実行することができ、手戻りといった非効率的な事態を多発させてしまうことを防止する。
【００１７】
続いて、図４に示すフローチャートを用い、上述したような設計の流れと入出力する情報とのリンクを実現するために、例えば、車両に搭載するエンジンを設計対象物として、設計検討過程、設計過程を経て設計する場合の具体的な処理動作について説明をする。
【００１８】
まず、ステップＳ１１において、設計管理者は、設計対象物の企画をして目標を定める。このとき、設計管理者は、センタ装置１０を介してデータベース２０へアクセスし設計対象物を設計するのに必要となる、例えば図５に示すような複数の設計項目を設定する。設計項目は、図５に示すようなマトリクス状に配された電子帳票として端末装置１１に表示されることになる。端末装置１１に表示される電子帳票は、使用するユーザ毎、つまり設計レベル（端末装置１１）毎に取捨選択された項目だけが表示されることで、どこに注視して視認すればよいかを把握することができるようになっている。
【００１９】
ステップＳ１２において、設計管理者は、図５に示す電子帳票の企画情報の欄にステップＳ１１で設定された項目毎に、企画・目標値を入力していく（第１設計レベル）。
【００２０】
ステップＳ１３において、機能割付者は、図５に示す電子帳票の企画情報を参照しながら、要求値情報の欄に、ステップＳ１１で設定された項目毎に要求値を入力していき機能を割り付ける（第２設計レベル）。
【００２１】
ステップＳ１４において、設計検討者は、図５に示す電子帳票の要求値情報を参照しながら、設計値情報の欄に、ステップＳ１１で設定された項目毎に実際に可能な設計値を入力していくことで設計を検討する（第３設計レベル）。
【００２２】
ステップＳ１５において、機能割付者は、図５に示す電子帳票の設計値情報を参照しながら、達成値情報の予測値の欄に、ステップＳ１１で設定された項目毎に達成するであろう予測値を入力していくことで机上での確認をする（第４設計レベル）。
【００２３】
ステップＳ１６において、設計管理者は、ステップＳ１５での机上による確認結果に基づき評価対象となるプロトタイプの実機を手配できたかどうかを判断する。設計管理者は、実機を手配できた場合には、ステップＳ１７へと処理を進める一方、実機を手配できないと判断した場合にはステップＳ１２へと処理を戻す。
【００２４】
ステップＳ１７において、実験評価者は、図５に示す電子帳票の達成値情報の欄を参照して、ステップＳ１１で設定された項目毎に実機と予測される予測値とを比較して、実機の実測値を入力していくことで、実機の精度の確認をする（第５設計レベル）。
【００２５】
ステップＳ１８において、設計管理者は、上述したステップＳ１７における実機の達成程度の確認結果に応じて、図５に示す電子帳票の達成値情報の欄を参照して、達成値情報の予測値と実測値とから次工程へ移行するかどうか判断をする。次工程へ移行しないと判断した場合は、ステップＳ１２へと処理を戻す。
【００２６】
［実施の形態の効果］
このように、本発明の実施の形態として示す情報連携設計支援システムは、複数の設計項目に対して、複数の設計レベル毎の必須情報を対応付け、複数の設計項目と対応付けられた複数の必須情報とを共に表示する。そして、複数の必須情報を任意の更新タイミングで適宜更新する。
【００２７】
これにより、設計検討過程、設計過程における情報連携を円滑に図ることができるため、設計を効率化することができる。また、設計方針や前提条件の情報に対する結果情報の関係が明確になり、複数の設計者間における情報認識の相違を減らすことができ、手戻りを防止できるため設計検討過程、設計過程の効率化を図ることができる。
【００２８】
さらに、複数の必須情報を任意の更新タイミングで適宜更新できることから、設計過程における現時点での必須情報の確度を随時確認することができる。
【００２９】
また、複数の設計レベルは、設計対象物の複数の設計項目に対して目標値を定める第１設計レベルと、前記目標値に基づき要求値を定める第２設計レベルと、前記要求値に基づき設計値を定める第３設計レベルと、前記設計値に基づき予測値を定める第４設計レベルと、実際に形成された設計対象物を実測した前記複数の設計項目と前記予測値とを比較する第５設計レベルとからなることで、各設計レベルの連携を図ることができる。
【００３０】
このように各設計レベルが連携しているため、他の設計レベルの必須情報を参照することで自身の設計レベルの情報変更の可能性を推測することができる。
【００３１】
また、対応付けられた複数の設計項目と、複数の設計レベル毎の必須情報とをマトリクス状に配置して図５に示す電子帳票のように端末装置１１に表示させるよう表示制御することで、設計レベル間において、必須情報の提供側、必須情報の受取側を明確にすることができる。また、必須情報の責任所在が明確になるとともに、必須情報の提示時期、要求時期も明確となるため情報流通による時間損失を低減することができる。また、進捗状況、情報の抜け漏れを一瞥して視認することができる。
【００３２】
さらに、設計レベルに応じて、端末装置１１に表示させる必須情報を制限するよう表示制御することで、必要な情報の把握が容易となるため設計過程における検討効率を向上させることができる。
【００３３】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００３４】
【図１】本発明の実施の形態として示す情報連携設計支援システムの構成について説明するための図である。
【図２】前記情報連携設計支援システムのデータベースについて説明するための図である。
【図３】前記情報連携設計支援システムの連携処理動作について説明するためのタイミングチャートである。
【図４】前記情報連携設計支援システムの処理動作について説明するためのフローチャートである。
【図５】前記情報連携設計支援システムにおいて、各設計レベル担当者に端末装置を介して提示される電子帳票の一例を示した図である。
【符号の説明】
【００３５】
１０  センタ装置
１１  端末装置
１１Ａ  端末装置
１１Ｂ  端末装置
１１Ｃ  端末装置
１１Ｄ  端末装置
１１Ｅ  端末装置
１１Ｆ  端末装置
１１Ｇ  端末装置
１１Ｈ  端末装置
２０  データベース
２０ｎ（ｎは自然数）  個別データベース
【図１】
2008090725.tif 000003
【図２】
2008090725.tif 000004
【図３】
2008090725.tif 000005
【図４】
2008090725.tif 000006
【図５】
2008090725.tif 000007